(57)【要約】【課題】酸素富化空気の部屋全体への拡散供給と、局所吹出しの両機能を有しかつ、局所吹き出し用の吹出口から水滴が出る事が無い送風装置を提供する。【解決手段】酸素富化膜ユニット３１の下流側に連結される真空ポンプ３２から吐出される酸素富化空気を吹き出す第１吹出部４１と第２吹出部６０と、第１吹出部４１から吹き出された酸素富化空気を被空調空間に送出する室内送風ファン２１と、真空ポンプ３２の下流側に接続され空気を第１吹出部４１側と第２吹出部６０側とに切り換える第１の流路切換弁４２とを設け、前記第２吹出部６０をさらに前記真空ポンプ３２の上流側と連通させると共にその連通を制御する第２の流路切換弁４４を設けたもので、第１、第２の流路切換弁４２、４４の操作で、部屋全体への酸素濃度の供給と、局所的に供給する運転とを選択できる。【選択図】図１
2005113827.tif 000002
【特許請求の範囲】
【請求項１】
酸素濃度を高める酸素富化膜と、前記酸素富化膜の下流側に連結される真空ポンプと、前記真空ポンプから吐出される酸素富化空気を吹き出す第１吹出部と第２吹出部と、前記第１吹出部から吹き出された酸素富化空気を被空調空間に送出する送風手段と、前記真空ポンプの下流側に接続され前記酸素富化空気を前記第１吹出部側と第２吹出部側とに切り換える第１の流路切換手段とを設け、前記第２吹出部をさらに前記真空ポンプの上流側と連通させると共にその連通を制御する第２流路切換手段を設けたことを特徴とする送風装置。
【請求項２】
第２の流路切換手段を、第１吹出部からの管路と真空ポンプからの管路が合流する位置に設けられ、第２吹出部との接続を第１吹出部側あるいは真空ポンプ側に切り換える切換弁にて形成したことを特徴とする請求項１記載の送風装置。
【請求項３】
第２の流路切換手段を、第２吹出部と真空ポンプの上流側とを繋ぐ管路と、酸素富化膜から真空ポンプ上流側へ繋がる管路とが合流する位置に設けられ、真空ポンプ上流側への接続を第２吹出口からと酸素富化膜からとを切り換える切換弁にて形成したことを特徴とする請求項１記載の送風装置。
【請求項４】
第２の流路切換手段を、酸素富化膜と真空ポンプとの間と、第２吹出部とを連通する管路の途中に設けた開閉弁にて形成したことを特徴とする請求項１記載の送風装置。
【請求項５】
第２吹出口からの酸素富化空気の吹出し運転終了時に、第１の流路切換手段を第１吹出部側に切り換えると共に、第２の流路切換手段によって第２吹出部を真空ポンプ上流側に連通させ、所定時間真空ポンプの運転を継続させるようにしたことを特徴とする請求項１〜４のいずれか１項記載の送風装置。
【請求項６】
第２吹出部に開閉弁を設けたことを特徴とする請求項１〜５のいずれか1項記載の送風装置。
【請求項７】
開閉弁の上流側に水分を受ける受け部を設けたことを特徴とする請求項６記載の送風装置。
【請求項８】
第２吹出部の開閉弁は、少なくとも、第２の流路切換手段によって第２吹出部が真空ポンプ上流側に繋がり真空ポンプ運転が継続している間は、閉弁状態となるようにしたことを特徴とする請求項６または７記載の送風装置。
【請求項９】
第２吹出部の開閉弁は、第２吹出部からの酸素富化空気の吹出し運転時以外は閉じているようにしたことを特徴とする請求項６〜８のいずれか１項記載の送風装置。
【発明の詳細な説明】
【技術分野】
【０００１】
本発明は、空気中の酸素ガス成分の濃度を高めて供給する機能を備えた送風装置に関するものである。
【背景技術】
【０００２】
従来より、酸素富化膜などのガス富化膜を用いて特定のガス濃度を相対的に向上させるための酸素富化装置や窒素富化装置などが医療用の酸素富化装置、空気調和機、空気清浄機などの機器用に種々提案されている。
【０００３】
例えば酸素濃度を向上させるものとして、分離型空気調和機の室外機に酸素富化手段を設け、その酸素が富化された空気を、送出配管を介して室内機に送り、分離形空気調和機の室内ファンによる送風に酸素富化された空気を混ぜて室内側に放出するようにし、被空調空間である室内の酸素濃度を向上させて、ユーザの快適性の用に供するものがあった。
【０００４】
しかし、酸素富化膜を用いた酸素富化装置では、酸素富化膜は空気成分の大半を占める窒素と分離させ選択的に酸素を透過させるものの、現在実用化されている酸素富化膜は酸素と同時に少なくとも空気中の水分も透過させる特徴を持っている。
【０００５】
即ち、酸素富化膜の１次側の空気に対して、酸素富化膜を透過した２次側では窒素が分離された分だけ相対的に湿度が高くなり露点が１次側の空気に比べて上昇するため、酸素富化膜の２次側配管中でしばしば結露水を発生させてしまうことが知られている（例えば、特許文献１参照）。
【０００６】
一方、ユーザのニーズとして、酸素富化された空気を吸引して身体のリフレッシュを図ろうとして、酸素富化された空気を鼻や口の周辺で局所的に放出させる酸素富化装置が提案されている。局所の吹出しには酸素富化装置から送気チューブを介してオーディオのヘッドホンのようにして口元など局所に吹出すための道具を人体に装着するようにしている。このような事例としては、他にはマスク状の医療用の酸素供給装置などもある。
【特許文献１】特開平５−１１３２２７号公報
【発明の開示】
【発明が解決しようとする課題】
【０００７】
しかしながら、上記従来の技術では、空気調和機などの送風装置の送風に酸素富化された空気を混入させて空調空間中に拡散することで、全体的に酸素濃度を維持させることはできるが、折角生成された高酸素濃度の酸素富化空気を集中的に人体に取り込むことはできず、また局所吹出の酸素富化装置では、多数のユーザがその部屋に存在する場合には、十分に酸素富化された空気を提供し快適空間を提供することは困難であった。
【０００８】
従って両方の機能を兼ね備えた送風装置は、ユーザのニーズを満足させる上で有効な手段のひとつと言える。このとき、被空調空間の酸素濃度を維持改善しつつ、酸素富化ガスの生成に用いるポンプなどの動力装置の騒音等を勘案して、室外に配置したユニットにて酸素富化空気を生成することが有効であるといえる。
【０００９】
しかしながら、酸素富化膜の２次側には水分が透過してしまうため、ユーザが局所吹出しの手段により直接吸引を繰り返していると、管路に徐々にたまった水滴が吹出部から出てきてしまうので、吹出部手前に水分の受け部を設け、その受け部に溜まった水を定期的に捨てる必要があった。
【００１０】
本発明は、上記課題を解決するもので、酸素富化空気の部屋全体への拡散供給と、高濃度局所吹出しの両機能を有しつつ、酸素富化空気の吹出部から水滴が出ることなく、安心して使用できる送風装置を提供することを目的とするものである。
【課題を解決するための手段】
【００１１】
上記従来の課題を解決するために、本発明の送風装置は、酸素濃度を高める酸素富化膜と、前記酸素富化膜の下流側に連結される真空ポンプと、前記真空ポンプから吐出される酸素富化空気を吹き出す第１吹出部と第２吹出部と、前記第１吹出部から吹き出された酸素富化空気を被空調空間に送出する送風手段と、前記真空ポンプの下流側に接続され前記酸素富化空気を前記第１吹出部側と第２吹出部側とに切り換える第１の流路切換手段とを設け、前記第２吹出部をさらに前記真空ポンプの上流側と連通させると共にその連通を制御する第２流路切換手段を設けたもので、ユーザは、第１、第２の流路切換手段の操作で、部屋全体の酸素濃度の維持・向上を行う送風装置の送風による酸素富化空気の拡散運転と、局所的に高濃度を供給する局所運転とを選択することができるとともに、酸素富化空気が通る流路内に溜まった水滴を確実に除去することが可能となる。
【発明の効果】
【００１２】
本発明の送風装置は、酸素富化空気の部屋全体への拡散供給と、高濃度局所吹出しの両機能を有しつつ、ユーザが局所吹出しの手段により直接吸引を繰り返しても、管路に溜まった水滴を自動的に処理することができ、快適空間の創造に寄与することができる送風装置を提供することができるものである。
【発明を実施するための最良の形態】
【００１３】
第１の発明は、本願発明に係る送風装置は、酸素濃度を高める酸素富化膜と、前記酸素富化膜の下流側に連結される真空ポンプと、前記真空ポンプから吐出される酸素富化空気を吹き出す第１吹出部と第２吹出部と、前記第１吹出部から吹き出された酸素富化空気を被空調空間に送出する送風手段と、前記真空ポンプの下流側に接続され前記酸素富化空気を前記第１吹出部側と第２吹出部側とに切り換える第１の流路切換手段とを設け、前記第２吹出部をさらに前記真空ポンプの上流側と連通させると共にその連通を制御する第２流路切換手段を設けたもので、ユーザは、第１、第２の流路切換手段の操作で、部屋全体の酸素濃度の維持・向上を行う送風装置の送風による酸素富化空気の拡散運転と、局所的に高濃度を供給する局所運転とを選択することができるとともに、酸素富化空気が通る流路内に溜まった水滴を確実に除去することが可能となる。
【００１４】
第２の発明は、特に第１の発明の第２の流路切換手段を、第１吹出部からの管路と真空ポンプからの管路が合流する位置に設けられ、第２吹出部との接続を第１吹出部側あるいは真空ポンプ側に切り換える切換弁にて形成したもので、構成が簡単で、しかも切換弁を第１吹出部を設けた室内ユニット内に配すれば、点検が容易になるものである。
【００１５】
第３の発明は、特に第１の発明の第２の流路切換手段を、第２吹出部と真空ポンプの上流側とを繋ぐ管路と、酸素富化膜から真空ポンプ上流側へ繋がる管路とが合流する位置に設けられ、真空ポンプ上流側への接続を第２吹出口からと酸素富化膜からとを切り換える切換弁にて形成したもので、構成が簡単で、切換弁を比較的デッドスペースが多い室外ユニット側に配することができるので、送風装置が大型化する事が無い。
【００１６】
第４の発明は、特に第１の発明の第２の流路切換手段を、酸素富化膜と真空ポンプとの間と、第２吹出部とを連通する管路の途中に設けた開閉弁にて形成したもので、構造がシンプルで安価な開閉弁を使用することで、安価で信頼性の高い送風装置が提供できる。
【００１７】
第５の発明は、特に第１〜４の発明のいずれか1つの発明の第２吹出口からの酸素富化空気の吹出し運転終了時に、第１の流路切換手段を第１吹出部側に切り換えると共に、第２の流路切換手段によって第２吹出部を真空ポンプ上流側に連通させ、所定時間真空ポンプの運転を継続させるようにするもので、局所吹出しである第２吹出口からの運転を終えると流路内に溜まった水滴を自動的に吸い出すことが可能になる。
【００１８】
第６の発明は、特に第１〜５の発明のいずれか1つの発明の第２吹出部に開閉弁を設けたもので、第２の流路切換手段によって第２吹出部が真空ポンプ上流側に繋がり所定時間真空ポンプ運転を継続して流路内の空気を吸い出すときにこの開閉弁を閉じるようにすることで、流路内は真空ポンプに引かれることで負圧となり水滴が蒸発し、単に空気が吸い出されるのに比べ水分がはるかに良く吸い出され易くなる。
【００１９】
第７の発明は、特に第６発明のいずれか1つの発明の開閉弁の上流側に水分を受ける受け部を設けたもので、第２吹出口からの酸素富化空気の吹出し運転を万一長時間続けても、空気中の水分が受け部に溜まるので、吹出部から水滴が出るのを防止することができる。
【００２０】
第８の発明は、特に第６又は第７の発明の第２吹出部の開閉弁は、少なくとも、第２の流路切換手段によって第２吹出部が真空ポンプ上流側に繋がり真空ポンプ運転が継続している間は、閉弁状態となるようにしたもので、真空ポンプの運転が継続している間に、流路内が負圧になり、水分の受け部に溜まっていた水も蒸発して吸い出され、処理することが可能となる。
【００２１】
第９の発明は、特に第６〜８の発明のいずれか1つの発明の第２吹出部の開閉弁は、第２吹出部からの酸素富化空気の吹出し運転時以外は閉じているようにしたもので、第２吹出部を使用していない間に、ほこり等が流路内に侵入するのを防ぐことができる。
【００２２】
以下、本発明の実施の形態について、図面参照しながら説明する。なお、この実施の形態によって本発明が限定されるものではない。
【００２３】
（実施の形態１）
以下に、本発明の第1の実施の形態における送風装置を図１を用いて説明する。
【００２４】
図１は、送風装置の例として空気調和装置を示すもので、空気調和装置は室外ユニット１０と室内ユニット２０から構成され、冷媒ガスが循環するように接続配管（図示せず）で接続されている。室外ユニット１０は、圧縮機１１、熱交換器１２、及び室外送風ファン１３を有するとともに、酸素富化膜(図示せず)を具備した酸素富化膜ユニット３１、酸素富化膜ユニット３１の酸素富化膜前後に差圧を発生するとともに、酸素富化空気を室内側に送出する真空ポンプ３２が設けられている。
【００２５】
一方、室内ユニット２０には、室内送風ファン２１や熱交換器２２を有し、吸い込み口２４、熱交換器２２、室内送風ファン２１、吹出し口２３の順に室内空気が流れて熱交換されるよう送風回路が構成されている。また、室外ユニット１０の真空ポンプ３２から送出された酸素富化空気は送気管４０を介して室内ユニット２０側に誘導されるとともに、送気管４０は、室内ユニット２０に配置された第１の流路切換弁４２に接続されている。第１の流路切換弁４２はリモコン７０によりその流路が切り換えられて送気管４０を通ってきた酸素富化空気を第１吹出部４１側と第２吹出部６０側のいずれかに供給されるようになっている。
【００２６】
なお、第１吹出部４１は第１の流路切換弁４２から第１補助送気管４１ａを介して接続
されており、室内ユニット２０の熱交換器２２付近にその吹出し口を有し、結露水が吹き出されても空気調和機が具備するドレン処理経路（図示せず）により処理されるように構成されている。また、第２吹出部６０は送気管５０を介して第２の流路切換弁４４に繋がっており、この第２の流路切換弁４４は第２補助送気管４３を介して前記第１の流路切換弁４２に繋がるとともに戻り用送気管４５を介して真空ポンプ３２の上流側（吸気側）に繋がっており制御信号に応じて第１の流路切換弁４２側と真空ポンプ３２側への接続を切り換えるように構成されている。なお、戻り用送気管４５は酸素富化膜ユニット３１から真空ポンプ３２に繋がる送気管３５に合流するように配されている。
【００２７】
以上の構成による、動作、作用は以下の通りである。
【００２８】
ユーザがリモコン７０により第２吹出部６０に酸素富化空気を吹出すよう運転の操作を行うと、第１の流路切換弁４２は送気管４０と第２補助送気管４３が接続されるよう動き、第１吹出部４１に繋がる第１補助送気管４１ａは送気管４０との接続が断たれる。同時に第２の流路切換弁４４は第２補助送気管４３と送気管５０を接続するように切り換わり、戻り用送気管４５はこの第２の流路切換弁４４位置にて接続を断たれることになる。
【００２９】
すなわち、真空ポンプ３２から送出されてくる酸素富化空気は第１の流路切換弁４２、続いて第２の流路切換弁４４を通って第２吹出部６０から吹出されることとなる。この局所吹出しによる酸素富化空気のユーザの吸引は通常１０分程度で良いため、その所定の時間がきた時点あるいはユーザが終了操作を行った時点で、一旦真空ポンプ３２の運転を停止すると共に、第１の流路切換弁４２を送気管４０と第１補助送気管４１ａが接続するように切り換え、第２吹出部６０側への接続を断つこととなる。同時に第２の流路切換弁４４は送気管５０と戻り用送気管４５が接続するよう切り換わり第１の流路切換弁４２側への接続を断つこととなる。この状態にて再び真空ポンプ３２を運転する。酸素富化ユニット３１は酸素富化膜により空気が通過するには負荷があるが、第２吹出部６０から真空ポンプ３２に至る経路は空気が通過する際の負荷は少ないため、第２吹出部６０から逆に空気がすい込まれて勢い良く流れていくことになり、その空気の勢いによって管路内の結露水を吸い出すこととなり、真空ポンプ３２を通過したその結露水は、送気管４０、第１の流路切換弁４２、第１補助送気管４１ａを通って、第１吹出部４１から排出されるが、前述したように結露水が吹き出されても空気調和機の具備するドレン処理経路（図示せず）により処理されるように構成されているため問題はなく、所定時間（必要最適な時間は送気管の太さや長さ、また真空ポンプの能力等によって異なってくるが通常数分程度あれば可能）この運転を行うことにより第２吹出部６０側の送気管５０等の管路内の水分を除去することが可能となり、ユーザが水分を処理するというメンテナンスは不用となる。
【００３０】
（実施の形態２）
次に本発明の第２の実施の形態における空気調和装置を、図２を用いて説明する。なお、上記第１の実施の形態と同一部分については、同一符号を付してその説明を省略する。
【００３１】
第２吹出部６０は送気管５０を介して第１の流路切換弁４２に繋がると共に、送気管５０は戻り用送気管４５にも合流して繋がっている。また、酸素富化膜ユニット３１と真空ポンプ３２を繋ぐ送気管３４はその間に第２の流路切換弁３３が設けられた状態となっており、その第２の流路切換弁３３は真空ポンプ３２へ繋がる送気管３４を酸素富化膜ユニット３１からの送気管３５と戻り用送気管４５とで切り換えるようになっている。
【００３２】
今、ユーザがリモコン７０により第２吹出部６０に酸素富化空気を吹出す運転の操作を行うと、第１の流路切換弁４２は送気管４０と送気管５０が接続されるよう動き、第１吹出部４１に繋がる第１補助送気管４１ａは送気管４０との接続が断たれる。同時に第２の流路切換弁３３は酸素富化膜ユニット３１からの送気管３５と送気管３４を接続するよう
に切り換わり、戻り用送気管４５はこの第２の流路切換弁３３位置にて接続を断たれることになる。すなわち、真空ポンプ３２から送出されてくる酸素富化空気は第１の流路切換弁４２を通って第２吹出部６０から吹出されることとなる。この局所吹出しによる酸素富化空気のユーザの吸引は通常１０分程度で良いため、その所定の時間がきた時点あるいはユーザが終了操作を行った時点にて、一旦真空ポンプ３２の運転を停止すると共に、第１の流路切換弁４２を送気管４０と第１補助送気管４１ａが接続するように切り換え、第２吹出部６０側への接続を断つこととなる。
【００３３】
同時に第２の流路切換弁３３は戻り用送気管４５が真空ポンプ３２に繋がる送気管３４に接続するよう切り換わり酸素富化膜ユニット３１からの接続を断つこととなる。この状態にて再び真空ポンプ３２を運転する。第２吹出部６０から真空ポンプ３２に至る経路は酸素富化ユニット３１の酸素富化膜のような空気を通過させるための負荷となるものがないため、空気が通過する際の負荷が少なく、第２吹出部６０から逆に空気がすい込まれて勢い良く流れていくことになり、その空気の勢いによって流路内の結露水を吸い出すこととなり、真空ポンプ３２を通過したその結露水は、送気管４０、第１の流路切換弁４２、第１補助送気管４１ａを通って、第１吹出部４１から排出されるが、前述したように結露水が吹き出されても空気調和機が具備するドレン処理経路（図示せず）により処理されるので問題はなく、所定時間（必要最適な時間は送気管の太さや長さ、また真空ポンプ３２の能力等によって異なってくるが通常数分程度あれば可能）この運転を行うことにより第２吹出部６０側管路内の水分を除去することが可能となり、ユーザが水分を処理するというメンテナンスは不用となる。また、この構成はスペースのある室外ユニット１０側に第２の流路切換弁３３を配置するため、スペースの少ない室内ユニット２０側に置く切換弁が少なくてすみ室内ユニット２０の小型化を阻害しない構成とすることができる。
【００３４】
（実施の形態３）
次に本発明の第３の実施の形態における空気調和装置を、図３を用いて説明する。なお、上記第１、２の実施の形態と同一部分については、同一符号を付してその説明を省略する。
【００３５】
第２吹出部６０は送気管５０を介して第１の流路切換弁４２に繋がると共に、送気管５０は戻り用送気管４５にも合流して繋がっている。また、酸素富化膜ユニット３１と真空ポンプ３２を繋ぐ送気管３５はその間で戻り用送気管４５と合流している。また、戻り用送気管４５の途中には開閉弁３６が設けられている。
【００３６】
今、ユーザがリモコン７０により第２吹出部６０に酸素富化空気を吹出すよう運転の操作を行うと、第１の流路切換弁４２は送気管４０と送気管５０が接続されるよう動き、第１吹出部４１に繋がる第１補助送気管４１ａは送気管４０との接続が断たれる。同時に開閉弁３６は閉じた状態となっており戻り用送気管４５から真空ポンプ３２への接続は断たれた状態である。すなわち、真空ポンプ３２から送出されてくる酸素富化空気は第１の流路切換弁４２を通って第２吹出部６０から吹出されることとなる。この局所吹出しによる酸素富化空気のユーザの吸引は通常１０分程度で良いため、その所定の時間がきた時点あるいはユーザが終了操作を行った時点にて、一旦真空ポンプ３２の運転を停止すると共に、第１の流路切換弁４２を送気管４０と第１補助送気管４１ａが接続するように切り換え、第２吹出部６０側への接続を断つこととなる。同時に開閉弁３６を開状態に切り換えることにより戻り用送気管４５が真空ポンプ３２に繋がることとなる。
【００３７】
この状態にて再び真空ポンプ３２を運転する。第２吹出部６０から真空ポンプ３２に至る経路は酸素富化ユニット３１の酸素富化膜のような空気を通過させるための負荷となるものがないため、空気が通過する負荷は少なく、第２吹出部６０から逆に空気がすい込まれて勢い良く流れていくことになり、その空気の勢いによって管路内の結露水を吸い出す
こととなり、真空ポンプを通過したその結露水は、送気管４０、第１の流路切換弁４２、第１補助送気管４１ａを通って、第１吹出部４１から排出されるが、前述したように結露水が吹き出されても空気調和機が具備するドレン処理経路（図示せず）により処理されるので問題はなく、所定時間（必要最適な時間は送気管の太さや長さ、また真空ポンプの能力等によって異なってくるが通常数分程度あれば可能）この運転を行うことにより第２吹出部６０側管路内の水分を除去することが可能となり、ユーザが水分を処理するというメンテナンスは不用となる。
【００３８】
また、この構成はスペースのある室外ユニット１０側に開閉弁を配置するため、スペースの少ない室内ユニット２０側に置く切換弁が少なくてすみ室内ユニット２０の小型化を阻害しないとともに、切換弁ではなく開閉弁で済むためコスト的にも安くできる構成とすることができる。
【００３９】
（実施の形態４）
次に本発明の第４の実施の形態を、図４を用いて説明する。なお、上記実施の形態と同一部分については、同一符号を付してその説明を省略する。
【００４０】
図４は、本実施の形態における空気調和装置に接続される吹出部の詳細を示す図である。
【００４１】
図において、第２吹出部６０には送気管５０が繋がっておりが、その送気管５０の先には水分の受け部５１が設けられその後を再び送気管５２が繋がり、その送気管５２の先には開閉弁５３が設けられている。この開閉弁５３の後には再び送気管５４が設けられ、その先は開放となって吹出せるようになっている。
【００４２】
今、ユーザがリモコン７０により第２吹出部６０に酸素富化空気を吹出すよう運転の操作を行うと、この開閉弁５３は開状態となり、上記実施の形態同様、この第２吹出部６０から酸素富化空気を吹出す。この局所吹出しによる酸素富化空気のユーザの吸引は通常１０分程度で良いが、ユーザの希望により時間が長く運転されたとしても流路内に溜まって少しづつ押し出されてくる水滴は受け部５１にて受けられ、第２吹出部６０から吹出すことはない。そしてユーザが終了操作を行った時点にて、開閉弁５３を閉状態にする。このとき第２吹出部６０から逆に空気がすい込まれて流れていくことになるが、開閉弁５３が閉じているため送気管５０や戻り用送気管４５内は負圧となることにより、流路内の水滴や受け部５１に溜まった水滴が蒸発して内部空気といっしょに吸い出されていくことになる。すなわち、流路内の水滴が多かったり、受け部５１に水が溜まっている状態であってもその水分を排出することも可能となる。
【００４３】
また、この開閉弁５３の動作において、第２吹出部６０から酸素富化空気を吹出す時以外は閉状態にする構成とすれば、この第２吹出部６０からほこり等が流路内に入ることも防止できることとなる。
【産業上の利用可能性】
【００４４】
以上のように、本発明にかかる送風装置は、酸素富化空気の部屋全体への拡散供給と、高濃度局所吹出しの両機能を有しつつ、管路に溜まった水滴が自動的に処理されるので、空気調和機に限らず、家庭用・業務用空気清浄機など、送風装置を備えた各種機器に適用が可能である。
【図面の簡単な説明】
【００４５】
【図１】本発明の第１の実施の形態を示す空気調和装置の構成模式図
【図２】本発明の第２の実施の形態を示す空気調和装置の構成模式図
【図３】本発明の第３の実施の形態を示す空気調和装置の構成模式図
【図４】本発明の第４の実施の形態を示す空気調和装置に接続される吹出部の略図
【符号の説明】
【００４６】
１０  室外ユニット
２０  室内ユニット
２１  室内送風ファン（送風手段）
３１  酸素富化膜ユニット
３２  真空ポンプ
３３  第２の流路切換弁
３４  送気管
３５  送気管
３６  開閉弁
４０  送気管
４１  第１吹出部
４１ａ  第１補助送気管
４２  第１の流路切換弁（流路切換手段）
４３  第２補助送気管
４４  第２の流路切換弁（流路切換手段）
４５  戻り用送気管
５０  送気管
５１  受け部
５２  送気管
５３  開閉弁（流路切換手段）
５４  送気管
６０  第２吹出部
【図１】
2005113827.tif 000003
【図２】
2005113827.tif 000004
【図３】
2005113827.tif 000005
【図４】
2005113827.tif 000006